【手続補正書】
【提出日】平成19年5月15日(2007.5.15)
【手続補正１】
【補正対象書類名】明細書
【補正対象項目名】全文
【補正方法】変更
【補正の内容】
【書類名】  明細書
【発明の名称】指先で使用する挟み保持具
【特許請求の範囲】
【請求項１】  指が挿入可能な指カバー本体を平行して夫々設け、平行する該指カバー本体を湾曲状に形成された弾発変形部材の連結部によって、所定間隔を持って弾発連結すると共に該対向する内側を狭持部として形成し、該狭持部の各先部近傍に互いに向い合い、且つ若干位置をずらして保持針を突設したことを特徴とする指先で使用する挟み保持具。
【請求項２】平行する指カバー本体の一方を親指が入る程度の形状とし、他方を少なくとも二本の指が入る程度に形成したことを特徴とする請求項１記載の指先で使用する挟み保持具。
【発明の詳細な説明】
【０００１】
【発明の属する技術分野】
本発明は、釣餌又はカニなどを食べるときなど指先で摘むときに使用する指先で使用する挟み保持具に関する。
【０００２】
【従来の技術】
従来、釣餌として、ゴカイ、あおむし、マムシ、網エビなどを釣針に付けるとき、そのまま素手の指先で釣餌を直接摘んで釣針に付けていた。
【０００３】
また、鍋物のカニ、エビなどを食べるときも、少なくとも片手の指で摘み、箸でつついて食べたりしていた。
【０００４】
そして、特に上記した事例に於けることがらで、指先を保護しつつ摘むことが可能な物は、市場に提供されて居らず、久しく要望されていた。
【０００５】
【発明が解決しようとする課題】
従来、釣餌に於いて、釣針に釣餌を付けるとき、元気の良い餌は激しく動き、またツルツル滑り摘みにくく非常に付けづらく、時には釣針を指先に刺して痛い思いもすることがあった。また付けられても釣針を刺したとき釣餌の体液が出て手が汚れ、またその汚れた手で釣竿をさわると竿まで汚れるので手拭を用意する必要があり非常に煩雑であった。
【０００６】
また、上記釣餌の汁の臭いが非常にきつく、手に付いた臭いは、石けんなどで洗っても一日位ではなかなか臭いがとれず、不快な思いをしていた。
【０００７】
これらのことから、男性にも言えるが、特に女性に嫌われ、また虫が動く感触が嫌われ餌を付けられないなどで、同行の者が手助けをするなど、釣を始めるまでに時間を費やしており、餌にまつわる欠点が数々あった。
【０００８】
さらに、鍋物のカニ、エビなどを食べることに於いて、鍋物のカニなどを食べるときは普通指で直接摘んで食べることから、鍋などから箸でカニを取っても熱くて指で摘めず少し冷してからしか食べられなかった。
【０００９】
そして、カニなど直接指で摘んで食べると、指が汁で濡れナフキンで指を拭きながら、箸を持替えて他の物を食べると言うことをしなくてはならず、カニなどを食べるときは非常に煩雑さがあり、また手に付いたカニなどの臭いは、上記したように取れにくく、そのために食べないと言う者もいた。
【００１０】
【課題を解決するための手段】
本発明の請求項１に係る指先で使用する挟み保持具は、指が挿入可能な指カバー本体を平行して夫々設け、平行する該指カバー本体を湾曲状に形成された弾発変形部材の連結部によって、所定間隔を持って弾発連結すると共に該対向する内側を狭持部として形成し、該狭持部の各先部近傍に互いに向い合い、且つ若干位置をずらして保持針を突設しているので、釣餌又はカニなどの臭いなどが指に付かず、また熱くても指で直接摘むことができ、そして指を素早く同時に挿入しやすく、常に使いやすい状態にできる。
【００１１】
また、平行する指カバー本体の一方を親指が入る程度の形状とし、他方を少なくとも二本の指が入る程度に形成しているので、使用する時安定して掴める。
【００１２】
【発明の実施の形態】
本発明の指先で使用する挟み保持具は、指カバー本体を平行するように設け、一方の指カバー本体を親指が緩く入る程度に形成し、他方の指カバー本体を人さし指が緩く入る程度に形成又は人さし指と中指が同時に緩く入る程度に形成している。
【００１３】
そして該指カバー本体の平行する狭持部の先部近傍に、保持針を互いに向い合うように、且つ若干位置をずらしてそれぞれを突設し、該保持針は針状から略円錐形状程度の状態で双方の狭持部に一又は複数をそれぞれ設ける。
【００１４】
また、平行する該指カバー本体を湾曲状に形成された弾発変形部材の連結部によって、所定間隔を持って弾発連結している。
【００１５】
さらに、平行する指カバー本体の一方を親指が入る程度の形状とし、他方を少なくとも二本の指が入る程度に形成している。
【００１６】
【実施例】
本発明の実施例を図面に基づいて説明すると、図１において、１は挟み保持具で、該挟み保持具１は、指カバー本体２、２及び連結部３を有し、該連結部３で指カバー本体２、２を連結保持している。
【００１７】
そこで、指カバー本体２、２は、親指又は人さし指のそれぞれが緩く入る程度に略指先に対応して夫々形成され、該指カバー本体２、２が平行する内側を狭持部４、４とし、該狭持部４、４の先部近傍にそれぞれ保持針５、５を突設している。
【００１８】
そして、釣餌用として使用する場合の保持針５、５の突出量は、図２及び図３に示すように、細い針状でゴカイなど餌６の直径に略等しい長さに形成すると共に上記狭持部４、４の先部近傍からの位置は、図３に示すように、餌６を摘んだとき該餌６の略中央部近傍を刺せる位置に突設し、また該保持針５、５の本数は、図２では片側に２本と他方に１本を例示している。
【００１９】
さらに、カニなどを直接指で摘んで食べるとき用の挟み保持具１ａは、図４に示すように、短寸の略円錐形状に形成した保持針５ａ、５ａ、…を突設し、また一方の指カバー本体２を親指７が緩く入る程度に形成し、他方の指カバー本体２ａを人さし指８と中指１０とが同時に緩く入る程度に形成している。
【００２０】
また、連結部３は、湾曲状に形成された板状の弾発変形部材で構成されて、上記のごとく指カバー本休２、２の平行する所定間隔を持って弾発して連結している。
【００２１】
しかして、挟み保持具１を使用するとき、図５に示すように、親指７及び人さし指８を指カバー本体２、２のそれぞれに挿入し、図３に示すように、板上又は地上９のゴカイなど餌６を挟むようにして保持針５、５によって突刺し、該保持針５、５の先端は、平行する狭持部４、４に当接して固定され、それ以上潰す方向に圧力がかからず、よってゴカイなど餌６が動けない状態で保持している。
【００２２】
そして、その上記の状態はゴカイなど餌６が動けない状態で、尚かつ釣針を通す間隔を保っているので釣針を通し安い状態になり、そのままの状態で持上げ、ゴカイなど餌６の上から釣針を通して、指の力を緩めると連結部３の弾発力によって指カバー本体２、２が開き釣針に餌が付けられる。
【００２２】
また、カニなどを直接指で摘んで食べるときも上記と略同様に、図４に示すように、挟み保持具１ａの一方の指カバー本体２に親指７を入れ、他方の指カバー本体２ａに人さし指８と中指１０を同時に入れ、鍋などからカニなどを箸で摘み取り指カバー本体２、２ａで摘み変えて、改めて箸でカニなどを摘んで食べる。その指カバー本体２、２ａで摘み変えるとき、指カバー本体２、２ａに突設された保持針５ａ、５ａ、…が短寸であるため強く摘み保持できる。
【００２３】
なお、連結部３は、指カバー本体２、２と一体的に弾発変形部材のプラスチックで成型しても良く、また別の板状バネをそれぞれに連結して製作しても良いが、図示は省略した。
【００２４】
また、保持針５、５ａを細い針状又は略円錐形状に形成しているが、掴む対象物に合わせて適宜変更し、又は段付状の物などを別に製作し、指カバー本体２、２に着脱可能に設けるようにしても好ましく、さらに取付け本数においても適宜対象物に合わせて変更するようにしても良いが、図示は省略した。
【００２５】
さらに、保持針５は餌６を摘んだとき該餌６の略中央部近傍を刺せる先端より所定位置に並んで突設しているが、先端及び奥位置と交互に設けても好ましいが、図示は省略した。
【００２６】
加えて、指カバー本体２ａに人さし指８と中指１０を同時に入れるように形成しているのは、堅いカニなどをしっかり保持できるようにする物で、２本指以上が入るように形成しても良く、摘む対象によって適宜変更しても好ましい。
【００２７】
【発明の効果】
本発明は、以上説明したような形態で実施され、特に、指が挿入可能な指カバー本体を平行して夫々設け、平行する該指カバー本体を湾曲状に形成された弾発変形部材の連結部によって、所定間隔を持って弾発連結すると共に該対向する内側を狭持部として形成し、該狭持部の各先部近傍に互いに向い合い、且つ若干位置をずらして保持針を突設しているので、
【００２８】
釣餌又はカニなどの臭いなどが指に付かないので、指に付いた臭いによる不快なことが避けられ、そのたびごとに手を拭いたり洗ったりする必要もなく、また手の汚れで竿などを汚したりせず、さらに元気な釣餌も滑ることなく確実に早く釣針に付けることができるので釣の現場で早く釣を開始でき、またさらに釣針を指先に刺して痛い思いもすることも無く、加えて虫が動く感触が嫌われ餌を付けられないなど、同行の者が手助けをするなどの必要も無く、お互い釣に専念でき、さらに加えて熱い鍋などのカニなども直接摘み、滑って落とすことなく、熱い内に食べられることから味が落ちずに食べられる。
【００２９】
また、親指と人差指等で摘むとき、摘む指の間隔に略マッチして指を同時に素早く挿入しやすく、常に使いやすい状態にある。
【００３０】
さらに、平行する指カバー本体の一方を親指が入る程度の形状とし、他方を少なくとも二本の指が入る程度に形成しているので、
堅いカニなどをしっかり保持でき、安定する。よって実用上著大なる効果を有する。
【図面の簡単な説明】
【図１】
本発明の実施例の斜視図である。
【図２】
本発明の正面図である。
【図３】
本発明の使用状態を示す要部の側面図である。
【図４】
本発明の他の実施例を示す正面図である。
【図５】
使用状態を示す要部の平面図である。
【符号の説明】
１、１ａ  挟み保持具
２、２ａ  指カバー本体
３  連結部
４  狭持部
５、５ａ  保持針